Podtech/llm-jp-corpus-v4-ja_patent huggingface dataset:
(57)【要約】      （修正有）【課題】固体培養原料への種菌の接種にむらができない種菌供給装置を提供する。【解決手段】種菌運搬用のベルトコンベアを固体培養原料の上方に設け、かつ該ベルトコンベアの該固体培養原料側一端に種菌散布用ブラシユニットを設けたことを特徴とする。【選択図】図２
0003151701.tif 000002
【実用新案登録請求の範囲】
【請求項１】
固体培養原料に種菌を供給する固体培養用種菌供給装置であって、該種菌運搬用のベルトコンベアを設け、該ベルトコンベアを該固体培養原料の上方に設け、かつ該ベルトコンベアの該固体培養原料側一端に種菌散布用ブラシユニットを設けたことを特徴とする固体培養用種菌供給装置。
【請求項２】
種菌運搬用のベルトコンベアが固体培養用種菌供給装置の設置面に対して水平に設けたことを特徴とする請求項１記載の固体培養用種菌供給装置。
【請求項３】
種菌散布用ブラシユニットが一個又は複数個のブラシを放射状に組み合わせているブラシユニットである請求項１又は請求項２記載の固体培養用種菌供給装置。
【請求項４】
ブラシユニットが一定速度で回転することを特徴とする請求項１乃至３のいずれか１項に記載の固体培養用種菌供給装置。
【考案の詳細な説明】
【技術分野】
【０００１】
本考案は、固体培養原料に種菌を供給するための装置に関するものである。
【背景技術】
【０００２】
固体培養は、清酒、醤油、味噌、味醂、焼酎などの醸造業界において、米、大豆などの固体培養原料に、モヤシと呼ばれる麹菌の胞子を含む種菌を接種させ、当該固体原料の上で麹菌を生育させる培養方法である。
【０００３】
固体培養は、通常自動製麹機で行われ、蒸した米などの固体培養原料への、麹菌などの種菌の供給も自動種菌供給装置により行なわれる。固体培養においては、この種菌接種時、固体培養原料に種菌をむらなく接種できるかどうかが、固体培養で得られる麹の品質を左右する。
【０００４】
蒸した米などの固体培養原料への麹菌などの種菌の供給方法として、固体培養原料輸送用ベルトコンベヤ上部に自動種菌供給装置を設置し、該装置ホッパー内に入れておいた種菌をギヤ状のフィーダーで掻き出して落下させ散布する方法が用いられている。図１は該固体培養用種菌供給装置の側面からみた全体図である。１は固体培養原料輸送用ベルトコンベヤ（米などの固体培養原料を輸送するコンベヤ）、２は種菌投入口（もやしと呼ばれる粉状の麹菌の種菌を種菌ホッパーに供給する供給口）、３は種菌ホッパー（もやしと呼ばれる粉状の麹菌の種菌を格納するためのタンク）、４は種菌フィーダー（もやしと呼ばれる粉状の麹菌の種菌をギヤの回転によって種菌ホッパーから掻き出す装置）、５は種菌供給口（もやしと呼ばれる粉状の麹菌の種菌をエアーなどの輸送気体とともに固体培養原料輸送用ベルトコンベヤに供給する供給口）を表し、矢印は固体培養原料の移動方向を示している。
【０００５】
一般に種菌はその性状が微粉末であるため、外部湿気などの影響を受けやすい。そのため種菌が種菌ホッパーの内壁に付着したり、種菌ホッパー内部で塊状になることで、種菌の散布量が運転時間の経過に伴いだんだん低下してしまう問題があった。
【０００６】
この結果生じる定量の固体培養原料当たりに接種する種菌量のバラツキにより、培養後の酵素活性が大きく変動し、最終製品、例えば清酒の品質に影響を与える原因となる。
【先行技術文献】
【特許文献】
【０００７】
【特許文献１】実用新案登録第３１４９５１９号
【考案の概要】
【考案が解決しようとする課題】
【０００８】
解決しようとする問題点は、種菌の性状のため自動種菌供給装置からの固体培養原料への種菌の接種にむらができる点である。
【課題を解決するための手段】
【０００９】
本考案は種菌供給装置内からの種菌の散布量のバラツキを低減するため、種菌をベルトコンベヤで輸送しブラシで分散させることを最も主要な特徴とする。
【考案の効果】
【００１０】
種菌をベルトコンベヤで輸送しブラシで分散させることにより、種菌の散布量のバラツキがなくなり、固体培養原料への種菌の接種にむらができず、均一な麹を得ることが出来るようになった。
【図面の簡単な説明】
【００１１】
【図１】従来の固体培養用種菌供給装置の側面からみた全体図である。
【図２】本考案における固体培養用種菌供給装置の側面からみた全体図である。
【考案を実施するための形態】
【００１２】
以下に、添付図面を参照しつつ、本考案の固体培養用種菌供給装置を詳細に説明する。
【実施例】
【００１３】
図２は、本考案の全体を示した固体培養用種菌供給装置の構成図である。１は固体培養原料輸送用ベルトコンベヤ（米などの固体培養原料を輸送するコンベヤ）、６種菌供給用ベルトコンベヤ（もやしと呼ばれる粉状の麹菌の種菌を供給するコンベヤ）、７種菌散布用ブラシユニット（種菌供給用ベルトコンベヤから供給される種菌を分散・散布する装置）を表し、矢印は固体培養原料ならびに種菌の移動方向を示している。固体培養原料輸送用ベルトコンベヤを通じて、固体培養原料が輸送される。種菌は、種菌供給用ベルトコンベヤから、固体培養用種菌供給装置に供給され、回転する種菌散布用ブラシユニットによって分散され固体培養原料輸送用ベルトコンベヤ上の固体培養原料に接種される。
【００１４】
種菌供給用ベルトコンベヤの移動速度に特に制限は無いが、０．００１ｃｍ／ｓ乃至1ｃｍ／ｓが好ましく、０．０１ｃｍ／ｓ乃至０．１ｃｍ／ｓがより好ましい。回転する種菌散布用ブラシユニットに取り付けられるブラシの本数は１本でも複数本でも構わないが、２本乃至１２本が好ましく、４本乃至８本がより好ましい。種菌散布用ブラシユニットの回転速度に特に制限は無いが、１０ｒｐｍ乃至５００ｒｐｍが好ましく、５０ｒｐｍ乃至３００ｒｐｍがより好ましい。
【産業上の利用可能性】
【００１５】
本考案の固体培養用種菌供給装置は、米などの固体培養原料へ種菌をむらなく接種することができ、清酒、醤油、味噌、味醂、焼酎などの醸造用麹の品質を向上させる点で非常に有用である。
【符号の説明】
【００１６】
１  固体培養原料輸送用ベルトコンベヤ
２  種菌投入口
３  種菌ホッパー
４  種菌フィーダー
５  種菌供給口
６  種菌供給用ベルトコンベヤ
７  種菌散布用ブラシユニット
【図１】
0003151701.tif 000003
【図２】
0003151701.tif 000004
(57)【要約】      （修正有）【課題】効率よくマッサージができるマッサージ用ローラーの軸を提供する。【解決手段】複数の棒状体を接合部が回転するように接合したことを特徴とする。円柱の表面にそって軸が曲がるため、効率よくマッサージができる。【選択図】図１１
0003151792.tif 000002
【実用新案登録請求の範囲】
【請求項１】
マッサージ用のローラーの軸を複数の棒状体にして、回転対偶や、すべり対偶などで結んで、動作するリンク機構にしたもの。
【考案の詳細な説明】
【技術分野】
【０００１】この考案は顔および他の体の皮膚を押圧回転し、マッサージを行う美顔、美肌用具に関する。
【背景技術】
【０００２】従来のローラー式マッサージ用具は、［図１］が左側面図で［図２］が平面図の円筒形のローラーを、［図３］が左側面図で［図４］が平面図の軸に通して、［図５］が左側面図で［図６］が平面図のようにして、皮膚にローラー部を押圧して使用する。
【考案の開示】
【考案が解決しようとする課題】
【０００３】従来のローラー式マッサージ用具の軸は、［図３］と［図４］のように１本の棒でできており、回転させてマッサージすると、動きが平面になるが、手足は円柱状であり、顔は球状で、うまく効率よくマッサージができない。
【課題を解決するための手段】
【０００４】従来のマッサージ用ローラーの軸のような１本の棒ではなく、［図７］が側面図で［図８］が平面図で［図９］が上面図のように、２本の棒を回転対偶でつないだものが、課題を解決するために提供する本考案である。
【考案の効果】
【０００５】［図１１］が本考案で作られたローラー式マッサージャーで、回転対偶部を中心に軸が自在に動くのでローラーの角度をかえることができる。
【実施例】
【０００６】［図１２］のように、円柱の表面にそって軸が曲がるため効率よくマッサージができる。また［図１３］のように［図１２］より直径の小さいものでも軸が曲がるため、円柱の表面にそって同じように効率よくマッサージができる。
【産業上の利用可能性】
【０００７】従来のローラーのマッサージ用具より、皮膚に効率よく接する部分がふえるので、効率よくマッサージを行い、血行をよくして健康を増進する。
【図面の簡単な説明】
【０００８】
【図１】マッサージ用ローラーの左側面図
【図２】マッサージ用ローラーの平面図
【図３】従来のマッサージ用ローラーの軸の左側面図
【図４】従来のマッサージ用ローラーの軸の平面図
【図５】従来のローラー式マッサージャーの左側面図
【図６】従来のローラー式マッサージャーの平面図
【図７】本考案のマッサージ用ローラーの軸の左側面図
【図８】本考案のマッサージ用ローラーの軸の平面図
【図９】本考案のマッサージ用ローラーの軸の上面図
【図１０】本考案のマッサージ用ローラーの軸が回転対偶部より曲げたもの
【図１１】本考案のローラー式マッサージャーの平面図
【図１２】本考案の実施例
【図１３】本考案の実施例
【図１】
0003151792.tif 000003
【図２】
0003151792.tif 000004
【図３】
0003151792.tif 000005
【図４】
0003151792.tif 000006
【図５】
0003151792.tif 000007
【図６】
0003151792.tif 000008
【図７】
0003151792.tif 000009
【図８】
0003151792.tif 000010
【図９】
0003151792.tif 000011
【図１０】
0003151792.tif 000012
【図１１】
0003151792.tif 000013
【図１２】
0003151792.tif 000014
【図１３】
0003151792.tif 000015
【手続補正書】
【提出日】平成21年4月8日(2009.4.8)
【手続補正１】
【補正対象書類名】実用新案登録請求の範囲
【補正対象項目名】全文
【補正方法】変更
【補正の内容】
【実用新案登録請求の範囲】
【請求項１】
複数の棒状体を接合部が回転するように接合したマッサージ用ローラーの軸
(57)【要約】      （修正有）【要訳】【課題】日々のシチュエーションやシーズンごとの流行に合わせて取手部分や袋部分の種類、サイズ、色の組み合わせやコーディネートを可能とする鞄（バッグ）を提供する。【解決手段】袋部分３上部に接続用の穴４をあけ、その穴にアレイ型金具２をとりつけ取手部分１で挟み込むことで袋部分３と取手部分１が一体化し鞄（バッグ）としての使用することを可能とする。また袋部分３に荷物をいれることで接続部分に荷重が生じ、鞄（バッグ）としての使用時の脱着を防止する。【選択図】図１
0003151795.tif 000002
【実用新案登録請求の範囲】
【請求項１】
取手部分１の先端にある接続用穴５と袋部分３の上部にある接続用穴４をアレイ型金物２で接続する仕組みで、日々のシチュエーションやシーズンごとの流行に合わせて自由にコーディネートすることができることを特徴とする鞄（バッグ）。
【考案の詳細な説明】
【考案の詳細な説明】
【背景技術】
【０００１】従来の鞄（バッグ）の取手部分と袋部分は一体型、もしくは取手の長さの調節を目的とした金具が装備されているが、取手部分と袋部分それぞれを選んで自由に交換し使用するものではなかった。
【考案が解決しようとする課題】
【０００２】取手部分と袋部分の取り外し・交換を容易にすることで、日々のシチュエーションやシーズンごとの流行に合わせて取手部分や袋部分の種類、サイズ、色の組み合わせやコーディネートを可能とする鞄（バッグ）を提供する。
【課題を解決するための手段】
【０００３】上記目的を達成するために、本発明は袋部分３上部に接続用の穴４をあけ、その穴にアレイ型金具２をとりつけ取手部分１で挟み込むことで袋部分３と取手部分１が一体化し鞄（バッグ）としての使用することを可能とする。また袋部分３に荷物をいれることで接続部分に荷重が生じ、鞄（バッグ）としての使用時の脱着を防止する。
【考案の実施形態】
【０００４】以下、図を用いて本考案の実施の形態について説明する。図１は本考案の各パーツである。袋部分３の穴４はコンピューターミシン、もしくはハトメで補強することで強度を増している。取手部分１は２枚の革を張り合わせることで強度を確保している。またその末端は張り合わせず袋部分３を挟み込む仕様となる。
【０００５】図２は取手部分１先端にある接続用の穴５とそこにある切込み６である。切込み６を入れることで装着を容易にしながら使用時の脱着を防ぐ。
【０００６】図３は取手部分１と袋部分３をアレイ型金具２を利用して装着するときの状態である。
【０００７】図４は鞄（バッグ）の使用時の接続部分の断面図である。袋部分の重さ７がアレイ型金具２に加わることで取手部分１と袋部分３の脱着を防止する。
【０００８】図５は鞄（バッグ）の中に吊り下げる内ポケット８を装着している状態である。取手部分１と袋部分３を接続するのと同時に内ポケット８を吊り下げることが可能である。
【０００９】図６は袋部分３上部にある接続用の穴４の拡大図である。荷物の重さに十分耐えられる用に、コンピューターミシン、もしくは金属のハトメで補強している。
【００１０】図７は袋部分と取手部分の組み合わせバリエーションである。日々のシーンに合わせてコーディネートが可能である。
【考案の効果】
このようにすることで、シチュエーションやシーンに合ったサイズ、色、機能を持つ自分だけの鞄（バッグ）を持つことが可能となる。
また、使うほどに手に馴染む革製の取手を長く使いながらも、時間とともに劣化してくる袋部分を交換して使用することで、長い付き合いのできるアイテムとなる。
【図面の簡単な説明】
【図１】各パーツが装着される前の図である
【図２】取手部分１先端の拡大図である
【図３】取手部分１と袋部分３の装着前の斜視図である
【図４】使用時の接続部分の断面図である
【図５】内ポケットを装着する前の斜視図である
【図６】袋部分３上部にある接続用の穴４の拡大図である
【図７】取手部分１と袋部分３のバリエーションの図である
【符号の説明】  １  取手部分本体
２  アレイ型金物
３  袋部分本体
４  袋部分にある接続用の穴
５  取手部分にある接続用の穴
６  切り込み
７  過重を表す矢印
８  内ポケット
【図１】
0003151795.tif 000003
【図２】
0003151795.tif 000004
【図３】
0003151795.tif 000005
【図４】
0003151795.tif 000006
【図５】
0003151795.tif 000007
【図６】
0003151795.tif 000008
【図７】
0003151795.tif 000009
(57)【要約】      （修正有）【課題】使い捨て汚物入れ及び使い捨てゴミ箱を提供する。【解決手段】紙に防水加工を施し、キャップや粘着剤等で密封可能な構造にする。生ゴミの猫烏対策や危険ゴミ用には厚みや糸、ネット、布等を入れ段階的に補強する。携帯用から設置型まで形状も様々に展開し、デザインを凝らして装飾性を高める。手提げ付きは、先にマイバックや保存袋としての利用と狭い場所での吊り下げタイプのごみ袋になる。【選択図】図３
0003151766.tif 000002
【実用新案登録請求の範囲】
【請求項１】
携帯用から設置型まで  防水加工をし  密封可能にした  紙で作る  一連の使い捨て汚物入れ及び使い捨てゴミ箱とゴミ袋
【考案の詳細な説明】
【技術分野】
【０００１】  当考案は  使い捨て汚物入れ  及び使い捨てゴミ箱とゴミ袋に関するものである
【背景技術】
【０００２】  汚物入れ及びゴミ箱は  悪臭  汚れ  雑菌の附着等不衛生だが  洗浄や  買い替えが容易ではなく  ゴミ処理にも大量のポリ袋  レジ袋が消費されていた
【考案の開示】
【考案が解決しようとする課題】
【０００３】  汚物処理・ゴミ処理を簡潔にさせ  ポリ袋  レジ袋の使用を最小限に抑える
【課題を解決するための手段】
【０００４】  汚物入れ及びゴミ箱とゴミ袋を紙で作る
【考案の効果】
【０００５】  ゴミ処理用のポリ袋  レジ袋を相当量減らせる
ゴミ処理のストレスを軽減させ  衛生面の改善と  日替わりで意匠を楽しめる
【考案を実施するための最良の形態】
【０００６】  紙に防水加工を施し  キャップや粘着剤等で密封可能な構造にする
生ゴミの猫烏対策や  危険ゴミ用には厚みや  糸  ネット  布等を入れ段階的に補強する
携帯用から  設置型まで形状も様々に展開し  デザインを凝らして装飾性を高める
【実施例】
【０００７】  出先でのポケットティッシュ使用や簡易痰壷に  携帯用小型ゴミ箱を（図１）
簡易痰壷内部は  防水紙の上から吸水紙を重ねる
形状を変えれば簡易トイレも可能である
トイレ用使い捨て汚物入れ  及び室内  屋外用ごみ箱には設置型を（図２）
紙製ゴミ袋も  底部のマチで立たせる事ができるため必ずしもゴミ箱を必要としない（図３）
手提げ付きは  先にマイバックや保存袋としての利用と狭い場所での吊り下げタイプのごみ袋になる
それぞれの用途別に  紙製の使い捨て汚物入れ及び使い捨てゴミ箱と  ゴミ袋を提供する
【産業上の利用可能性】
【０００８】  微量でも石油の節倹と  二酸化炭素の削減
古紙や  バガス等可燃性の廃材を有効活用できる
粗品や広告媒体としても使える
【図面の簡単な説明】
【０００９】
【図１】携帯用小型ゴミ箱  一例のイメージ図（Ａ〜Ｂ）
【図２】設置型タイプ  一例のイメージ図（Ｃ〜Ｇ）
【図３】紙製ごみ袋  一例のイメージ図（Ｈ〜Ｉ）
【図１】
0003151766.tif 000003
【図２】
0003151766.tif 000004
【図３】
0003151766.tif 000005
(57)【要約】      （修正有）【課題】中華包丁を持ち運び、個人管理を容易にし、多種多様な調理業務に対応使用可能で、デザイン性と、安全性を有する中華包丁ケースを提供する。【解決手段】三層構造の箱形包丁ケースであって、内側に包丁を保護する硬質ゴムマット、二層目には形状、サイズ変化に対応でき、型崩れもしにくいスチレン製ボード、外部には撥水性に優れた、合皮素材を使用し接合面にはコーナー金具２ｂ、カシメ、ハト目、革紐等を使用した構造になっていて、さらに包丁の飛び出し防止ホルダ１ｂを設けた事を特徴とする【選択図】図２
0003151768.tif 000002
【実用新案登録請求の範囲】
【請求項１】
中華包丁の持ち運び及び個人管理区分できる形状をし、従来ある日本料理包丁ケース、洋食包丁ケースとは違い個体形状も従来品と比べ、調理作業に適応できる安全性を兼ねた物で、国産、中国産の中華包丁にあわせ作成可能を特徴とする中華包丁ケース。
【請求項２】
中華包丁の多種多様な種類の包丁に適応作成可能（包丁の刃が全て収納する様設計）な特徴と作業上の保護性、撥水性もあり、包丁自体の収容も１本以上入るよう状況に合わせ製造可能、また包丁の飛び出し防止ホルダを設けた形状を特徴とする請求項１に記載の中華包丁ケース。
【請求項３】
この中華包丁ケース自体に通気性に対応する様、包丁差し込み口と下部に通気穴と包丁保護の為の内部撥水性も兼ねた硬質ゴムマット素材を使用した特徴を持つ請求項１又は２に記載の中華包丁ケース。
【考案の詳細な説明】
【技術分野】
【０００１】  この考案は、中華包丁を持ち運び、個人管理を容易にし、多種多様な調理業務に対応使用可能、デザイン性、安全性（飛び出し防止ホルダ）を設けた中華包丁ケースに関するものである。
【技術背景】
【０００２】  調理場内での包丁管理においては従来壁掛け、大型ステンレス箱包丁ケース、引き出しなどに保管、あるいはダンボールにガムテープを巻きつけ包丁を収納していた。
【考案の開示】
【考案が解決しようとする課題】
【０００３】  これまでの包丁の持ち運び（外出持ち出し出張）調理場内の管理に関しても安全性、労働的負担などが有りデザイン等も皆無なものであった、デザイン、安全個人管理を一体化することにより包丁の安全保管が可能になり前述の欠点を解決するものである。
【課題を解決するための手段】
【０００４】  本考案は中華包丁ケースの外側に飛び出し防止ホルダを設け危険性を考慮し、腐食防止のために喚起穴、日常調理作業においての防水性、包丁歯の保護の為の素材を内面に保護ラバーを設けた、尚且つデザイン面に於いてもこれまでになかったデザイン皮製製品のような質感など取り入れ問題点を解決した。
【考案の効果】
【０００５】  上述の様に、本考案の中華包丁ケースは防水性は勿論の事、持ち運びの安全性、包丁歯の保護も含め随時容易に持ち運び収納する事ができる。
【考案の実施するための最良の形態】
【０００６】  考案した中華包丁ケースの中心素材にスチレンボードを軸に使用し内側撥水保護シートを硬質ゴムスポンジ糊付きを採用、外側外皮素材に皮質、爬虫類系に似せた撥水合皮素材の三重構造になり、留め金にカシメ、ハトメ金属等、蝋糸、金ボタン、牛革など多種多様にデザイン、形状、個人に合わせ作成可能を主とすることにり高範囲内での使用状態を可能になる。
【実施例】
【０００７】  以下、添付資料に基づき一実施例を説明する。１ａは本体軸になるスチレンボード２ａは撥水性と包丁保護に硬質ゴムスポンジ糊付きをスチレンボードに直接接着、３ａはデザイン多種多様に変化を出せる皮製又は爬虫類系に似せた合皮素材を３Ｍ７７スプレー糊（商品名）又は樹脂特殊糊にて接着乾燥させる。【０００８】  １ｂは皮製、合皮、蝋糸などを用い飛び出し防止ホルダとして使用、裏面には金カシメにより固定表面はカシメボタンで固定脱着可能、２ｂはコーナー金具を取り付けることによりデザイン包丁ケースの保護になる。３ｂはシルバーデザイン金具をつけアクセントに使用、４ｂはカシメ、ハトメ等を皮用穴あけにより切穴し専用打ちつけ器具より固定させ蝋糸等も用いデザインに合わせ本体全体の型作りに使用【０００９】  １ｃは中華包丁を刺入したものを図形化したもの、２ｃは本体角の枠を補強する意味でのカシメを表したもので、この位置に補強として重要になり三角形状になることで強度も増す。
【図面の簡単な説明】
【００１０】
【図１】本考案の中華包丁ケースの一実施例の分解図である
【図２】本包丁ケースの接続完成図部品例である
【図３】本包丁ケースと包丁本体の後側説明図である。
【符号の説明】
【００１１】  １ａ    包丁ケース本体軸素材
２ａ    硬質ゴムスポンジ
３ａ    皮製、合皮素材
１ｂ    皮製、合皮素材製飛び出し防止ホルダ
２ｂ    コーナー保護金具
３ｂ    シルバー性デザイン金具等
４ｂ    カシメ、ハトメ金具
１ｃ    中華包丁等
２ｃ    カシメ、ハトメ金具
【図１】
0003151768.tif 000003
【図２】
0003151768.tif 000004
【図３】
0003151768.tif 000005
【手続補正書】
【提出日】平成21年1月20日(2009.1.20)
【手続補正１】
【補正対象書類名】実用新案登録請求の範囲
【補正対象項目名】全文
【補正方法】変更
【補正の内容】
【実用新案登録請求の範囲】
【請求項１】
三層構造の箱形包丁ケースであって、内側に包丁を保護、錆び、吸着性に優れた硬質ゴムマット、二層目には形状、サイズ変化に対応でき、型崩れもしにくい素材のスチレン製ボード、外部には撥水性に優れた、合皮素材を使用し接合面にはコーナー金具、カシメ、ハト目、革紐等を使用した構造になっている特徴を持つ中華包丁ケース。
【請求項２】
包丁の飛び出し防止ホルダを設けた形状を特徴とする中華包丁ケース。
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
三層構造の箱形包丁ケースであって、内側に包丁を保護、錆び、吸着性に優れた硬質ゴムマット、二層目には形状、サイズ変化に対応でき、型崩れもしにくい素材のスチレン製ボード、外部には撥水性に優れた、合皮素材を使用し接合面にはコーナー金具、カシメ、ハト目、革紐等を使用した構造になっている特徴を持つ中華包丁ケース。
【請求項２】
包丁の飛び出し防止ホルダを設けた事を特徴とする請求項１記載の中華包丁ケース。
(57)【要約】【課題】  包覆と支持効果を有するブラジャーのカップを提供する。【解決手段】  中心部２、側辺部３及び上縁４を有するブラジャーのカップ１であって、該カップ１は、湾曲状の表面層と、前記表面層と結合する内面層と、前記表面層と前記内面層の側辺部に設けられる非弾性の強化部材１３と、前記表面層と前記内面層の上縁部に設けられると共に、弾性力を有する弾性部材１４と、を有する。【選択図】  図１
0003151761.tif 000002
【実用新案登録請求の範囲】
【請求項１】
中心部、側辺部及び上縁を有するブラジャーのカップであって、
前記カップは、
湾曲状の表面層と、
前記表面層と結合する内面層と、
前記表面層と前記内面層の側辺部に設けられる非弾性の強化部材と、
前記表面層と前記内面層の上縁に設けられると共に、弾性力を有する弾性部材と、を有することを特徴とするブラジャーのカップ。
【請求項２】
前記弾性部材は、弾性生地であることを特徴とする請求項１に記載のブラジャーのカップ。
【請求項３】
前記弾性部材は、弾性力を有するワイヤであることを特徴とする請求項１に記載のブラジャーのカップ。
【考案の詳細な説明】
【技術分野】
【０００１】
本考案は、特にカップの包覆効果と側方向の支持効果を向上する包覆と支持効果を有するブラジャーのカップに関するものである。
【背景技術】
【０００２】
女性は、自我存在意識の覚醒に伴い、内在の修養を向上する以外、外観の美観も追及している。そのため、様々な外観美化製品が開発されている。
【０００３】
支持効果を有する従来のブラジャーは、カップの下縁に湾曲したワイヤが設けられることにより、乳房を支持しながら形を調整する効果を提供する。又、このようなブラジャーのカップは、現在よく使用されるものであるため、特に特許文献や非特許文献に記載されていない。
【考案の概要】
【考案が解決しようとする課題】
【０００４】
従来のブラジャーのカップにおけるワイヤは、胸の側辺における肉のはみ出しを防止できず、又、胸の拡張変形を調整できない。故にブラジャーの製造業者は、ブラジャーのバックシートの幅を拡大し、又は該バックシートに弾性力を有する網状のシートを増設することにより、上述の問題を防止可能としている。しかしながら、これらのシートは長時間の使用により、弾性力を失う恐れがあるので、更に改良する必要がある。
【０００５】
又、一部の女性はブラジャーを装着する時、カップの上縁を胸とぴったり接触させることができないため、カップにより完全に乳房を包覆することができないという問題があり、勿論、これも胸の外観に悪影響を与える。
【０００６】
そこで、案出されたのが本考案であって、カップの包覆効果と側方向の支持効果を向上する包覆と支持効果を有するブラジャーのカップを提供することを目的としている。
【課題を解決するための手段】
【０００７】
請求項１に記載の考案は、中心部、側辺部及び上縁を有するブラジャーのカップであって、前記カップは、湾曲状の表面層と、前記表面層と結合する内面層と、前記表面層と前記内面層の側辺部に設けられる非弾性の強化部材と、前記表面層と前記内面層の上縁部に設けられると共に、弾性力を有する弾性部材と、を有する。
【０００８】
請求項２に記載の考案では、前記弾性部材は、弾性生地である。
【０００９】
請求項３に記載の考案では、前記弾性部材は、弾性力を有するワイヤである。
【考案の効果】
【００１０】
本考案は上記の課題を解決するものであり、カップの側辺部に設けられる強化部材と、カップの上縁に設けられる弾性部材とを設置することにより、胸の側辺における肉のはみ出しを防止できると共に、胸の拡張変形も防止できる。
【図面の簡単な説明】
【００１１】
【図１】本考案の第１実施形態によるブラジャーのカップを示す正面図。
【図２】本考案の第１実施形態によるブラジャーのカップを示す斜視図。
【図３】図１のＡ−Ａ線による断面図。
【図４】本考案の第２実施形態によるブラジャーのカップを示す断面図。
【考案を実施するための形態】
【００１２】
以下、図面を参照して本考案の好適な実施の形態を詳細に説明する。尚、下記実施形態は、本考案の好適な実施の形態を示したものにすぎず、本考案の技術的範囲は、下記実施形態そのものに何ら限定されるものではない。
【００１３】
（第１実施形態）
図１〜図３に示すように、本考案の第１実施形態によるブラジャーのカップ１は、表面層１１と、内面層１２と、強化部材１３と、弾性部材１４とを有し、該カップ１に中心部２と、側辺部３と、上縁４とが設けられる。
【００１４】
表面層１１と内面層１２は弾性力を有する生地と繊維コットンからなる湾曲状のシートであり、表面層１１と内面層１２の繊維コットンは互いに対応して結合し、又、該繊維コットンは、シルクコットンや発泡コットンなどの耐高温弾性材料であってもよい。
【００１５】
強化部材１３は、表面層１１と内面層１２における側辺部３に設けられる非弾性繊維材であるので、カップ１の側辺部３の支持力を向上することにより、胸の側辺における肉のはみ出しを防止できる。
【００１６】
弾性部材１４は、表面層１１と内面層１２における上縁４に設けられる弾性生地であり、弾性部材１４の弾性力により、カップ１の上縁４を胸とぴったり接触させることができるので、乳房を完全に包覆することができる。
【００１７】
（第２実施形態）
図４に示すように、本考案の第２実施形態によるブラジャーのカップは、第１実施形態と殆ど等しい。第１実施形態と異なるのは、弾性部材１４’は、弾性力を有するワイヤであるということである。第２実施形態では、該ワイヤの弾性力により、第１実施形態と同じように乳房を完全に包覆することができる。
【００１８】
本考案に係るブラジャーのカップを製造するとき、表面層１１と内面層１２とを互いに重合し、強化部材１３を表面層１１と内面層１２における側辺部３に設置し、弾性部材１４を表面層１１と内面層１２における上縁４に設置することにより、カップ１の半製品に形成し、該半製品を高温と高圧で加工することにより、ブラジャーのカップ１に形成する。
【産業上の利用可能性】
【００１９】
本考案は上記の構成を有するので、カップの側辺部に設けられる強化部材と、カップの上縁に設けられる弾性部材とを設置することにより、胸の側辺における肉のはみ出しを防止できると共に、胸の拡張変形も防止できる。
【符号の説明】
【００２０】
１：カップ、２：中心部、３：側辺部、４：上縁、１１：表面層、１２：内面層、１３：強化部材、１４：弾性部材、１４’：弾性部材
【図１】
0003151761.tif 000003
【図２】
0003151761.tif 000004
【図３】
0003151761.tif 000005
【図４】
0003151761.tif 000006
(57)【要約】      （修正有）【課題】ペットボトルをポイ捨てせず、何度も繰り返し使用するためのペットボトルケースを提供する。【解決手段】バッグ製造で残った生地や端切れの多くは廃棄、焼却され、環境に負荷を与えているが生地を切り抜く金型でペットボトルケースの表生地Ａと内部の保冷保温素材Ｂをカットし有効利用する。ペットボトルケースにファスナーＣを使用することによりボトルを簡単に出し入れできる。ペットボトルケースからボトルが抜け落ちないよう開口部Ｄを狭くし、しかも取り出さず飲むことができるサイズにする。【選択図】図１
0003151220.tif 000002
【実用新案登録請求の範囲】
【請求項１】
ファスナー付きのケースから簡単に中味を出し入れできる保冷保温ケースで中味を取り出さなくて飲め、抜け落ちせず、持ち手の長さ調節と取り外しフック付きで持ち運びも簡単なペットボトルケース。
【考案の詳細な説明】
【技術分野】
【０００１】本考案は残った飲み物やボトルをポイ捨てせず、もったいない精神と環境を守り、かっこよく持ち帰り、何度も繰り返し使用することを目的に製作したものである。
【背景技術】
【０００２】バッグ製造で残った生地や端切れの多くは廃棄、焼却され、環境に負荷を与えているが生地を切り抜く金型でペットボトルケースの表生地〔図１〕〔図２〕Ａと内部の保冷保温素材〔図１〕Ｂをカットし有効利用する。【０００３】ペットボトルケースにファスナー〔図１〕Ｃを使用することによりボトルを簡単に出し入れできる。【０００４】ペットボトルケースからボトルが抜け落ちないよう開口部〔図１〕Ｄを狭くし、しかも取り出さず飲むことができるサイズにする。【０００５】持ち手〔図２〕Ｅの長さを調節できる送り〔図２〕Ｆを付けることにより肩掛けや手提げができ、本体に付けたＤカン〔図２〕Ｇからフック（ナスカン）Ｈを取り外し、他のものに掛けることもできる。
【考案の開示】
【考案が解決しようとする課題】
【０００６】老若男女関係無く繰り返し使用するようデザイン面の工夫、アイデアが必要である。
【課題を解決するための手段】
【０００７】生地の素材、柄、持ち手や金具を変えることにより対応できる。
【考案の効果】
【０００８】残った飲み物はこのケースと一緒に持ち帰ることにより、資源を無駄にしない。
【考案を実施するための最良の形態】
【０００９】マスコミへのＰＲを積極的に行い、ユーザーへの浸透を図る。
【産業上の利用可能性】
【００１０】不要になった衣料等を捨てずに再利用できる。
【図面の簡単な説明】
【００１１】
【図１】ペットボトルを出し入れする前側、ケース前面の説明図である。
【図２】ペットボトルケースの後側、持ち手の説明図である。
【符号の説明】
【００１２】Ａ  表生地
Ｂ  内部の保冷保温素材
Ｃ  ファスナー
Ｄ  開口部
Ｅ  持ち手
Ｆ  送り
Ｇ  Ｄカン
Ｈ  フック（ナスカン）
【図１】
0003151220.tif 000003
【図２】
0003151220.tif 000004
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
ファスナー付きのケースであって、長さ調節ができる持ち手と、持ち手を取り外しできるフックを付けたことを特徴とする、ペットボトルケース。
【手続補正２】
【補正対象書類名】明細書
【補正対象項目名】全文
【補正方法】変更
【補正の内容】
【考案の詳細な説明】
【技術分野】
【０００１】本考案は残った飲み物やボトルをポイ捨てせず、もったいない精神と環境を守り、かっこよく持ち帰り、何度も繰り返し使用することを目的に製作したものである。
【背景技術】
【０００２】バッグ製造で残った生地や端切れの多くは廃棄、焼却され、環境に負荷を与えているが生地を切り抜く金型でペットボトルケースの表生地［図１］［図２］Ａと内部の保冷保温素材［図１］Ｂをカットし有効利用する。【０００３】ペットボトルケースにファスナー［図１］Ｃを使用することによりボトルを簡単に出し入れできる。【０００４】ペットボトルケースからボトルが抜け落ちないよう開口部［図１］Ｄを狭くし、しかも取り出さず飲むことができるサイズにする。【０００５】持ち手［図２］Ｅの長さを調節できる送り［図２］Ｆを付けることにより肩掛けや手提げができ、本体に付けたＤカン［図２］Ｇからフック（ナスカン）Ｈを取り外し、他のものに掛けることもできる。
【考案の開示】
【考案が解決しようとする課題】
【０００６】老若男女関係無く繰り返し使用するようデザイン面の工夫、アイデアが必要である。
【課題を解決するための手段】
【０００７】生地の素材、柄、持ち手や金具を変えることにより対応できる。
【考案の効果】
【０００８】残った飲み物はこのケースと一緒に持ち帰ることにより、資源を無駄にしない。
【考案を実施するための最良の形態】
【０００９】マスコミへのＰＲを積極的に行い、ユーザーへの浸透を図る。
【産業上の利用可能性】
【００１０】不要になった衣料等を捨てずに再利用できる。
【図面の簡単な説明】
【００１１】
【図１】ペットボトルを出し入れする前側、ケース前面の説明図である。
【図２】ペットボトルケースの後側、持ち手の説明図である。
【符号の説明】
【００１２】Ａ  表生地
Ｂ  内部の保冷保温素材
Ｃ  ファスナー
Ｄ  開口部
Ｅ  持ち手
Ｆ  送り
Ｇ  Ｄカン
Ｈ  フック（ナスカン）
【手続補正３】
【補正対象書類名】図面
【補正対象項目名】全図
【補正方法】変更
【補正の内容】
【図１】
0003151220.tif 000005
【図２】
0003151220.tif 000006
(57)【要約】      （修正有）【課題】コンパクトな構成で、災害時の使用は勿論、浸水しやすい場所等は消防車のような公共の手を借りずに一般の方でも予防、防護が出来る止水装置を提供する。【解決手段】次の５つの手段を設けた。イ、１枚のビニールに、各所の細工を施した。ロ、長方形を形成する手段の作用に袋状のものを構成した。ハ、本体を幾重にも積み重ねた時、下に滑りおちないように凹凸作用を双方設ける。ニ、水分を吸収させ物質の比重を重くするために水を注入する給水口７を施した。ホ、最初の袋状にしたものを正確な長方形を形成するために給水制限ライン８を設ける。【選択図】図３
0003151219.tif 000002
【実用新案登録請求の範囲】
【請求項１】
災害時の異常降雨のため河川の増水や、土壌決壊を引き起こし、浸水や、果ては人命にも及ぶ事故を防護するために考案された、災害雨等に使用出来る流水止めシヤットアウトに関わるものである。
【請求項２】
双方幾重にも積み重ねた時に本体が下に滑りおちないような凹凸の作用を設けた請求項１の災害雨等に使用出来る流水止シャットアウトの考案である。
【考案の詳細な説明】
【技術分野】
【０００１】本考案は災害時異常降雨のため、河川の増水や土壌決壊を引き起し浸水や果ては人命にも及ぶ事故。台風にせよ地震や、ハリケン等は発生したものは現況では人の力では変えることは出来ない、しかしそれを最小限に防御することは可能である。このような災害時はもとより構成がコンパクトなものに仕上げたもので、取扱いも簡単なので浸水しやすい場所等は公共の手を借りなくても、一般の方でも予防、防護のためにも充分サプライズ出来る考案である。
【背景技術】
【０００２】従来のものは何の変哲のない砂袋で通称土のうがほとんどで、それ以外長い水袋のような物があったが現在では見当たらない。砂袋の場合。常備砂が必要であるが金物店等にあるものは数も少なく、又砂と袋が別売りなので、災害が起きてから袋詰しているのが原状である。それ故時間的に差異が生じて充分な効果が得られない。今回（２０年１３号台風）の被害地の某市では、前期の事等が矢張り弊害になり４，０００個近くの砂袋を使用したが充分な効果が得られなかったと話してくれた。
【考案の開示】
【考案が解決しようとする課題】
【０００３】解決するために１枚のビニール素材のシートを用いた。そうすることによって多種多様の機能を持たせ、をれが寧ろ本体をコンパクトに仕上げ、そこに利便性が生じた。先ず８ｋｇ程度の重さで場所が取らず保管も手間がかからず、取扱いが簡単になった。又細工の基になるのが水道水と水分を吸収すると比重が３倍以上にもなる物質で尚且安全で一般の方でも自分の家の浸水ぐらいは己自身で予防、防護が可能にもなった。以上のことを鑑みても課題を解決出来た本考案である。
【課題を解決するための手段】
【０００４】本考案は課題を解決するために５つの手段を設けた。
イ、１枚のビニール素材のシートに図１の如くに作用を設ける。ロ、図２のような次に、長方形を形成する手段の作用のために袋状のものを構成した。よって各所多様な細工が円滑に機能した。ハＡ、本体を幾重にも積み重ねた時に下に滑りおちないよう図３如きにした。ハＢ、水分を吸収させ物質の比重を重くするために水を注入する給水口を施した。ハＣ、最初の袋状にしたものを正確な長方形を形成するために給水制限ラインを設ける。
【考案の効果】
【０００５】前期にも掲げたように本考案はコンパクトな構成なので、災害時の使用は勿論、浸水しやすい場所等は消防車のような公共の手を借りずに一般の方でも予防、防護が出来るような効果が生じた。
【考案実施するための最良の形態】
【０００６】１枚のビニール素材のシートを用いたので両サイドにセッテングした固定体の格納された物質が給水口から注入された水分を吸収し穴体の作用で袋状に形成され比重が重くなり更に本体には給水制限ラインを設けてあるので、両サイドの物質が柱体にもなり正確な長方形をするのである。又設置作業の時は幾重にも積み重ねても本体が下に滑りおちない凹凸の作用が機能し工事の円滑さも得られるのである。
【０００７】以下添付図面に従って実施例を説明する。
１の枚のビニール素材のシートの構成に２の水分を吸収すると比重が重くなる固定体の物質適宜素材を両サイドにセッテングし３の積み重ねた時本体が下に滑りおちないような凹凸の作業を施し、４の固定体の格納された物質が水分を吸収する穴体の作用を設ける。又各所の多様な細工が円滑に機能させるため５の本体の長方形の形成する手前の袋状のものを構成した。７は給水口でその径は一般のホースと消防消火ホースに合わせて機能させるに至った。８は本体に水を注入した時正確な長方形を形成するために給水制限ラインを設ける。
【０００８】実際に災害に遭遇し浸水した時の工事の工程を記述する。
先ず本体を取出す。次に本体に印されている給水制限ライン迄水を注入する。それによって両サイドにセッテングした固定体の格納された物質が穴体を通じて水を吸収し、８ｋｇ程度の本体が瞬時３倍強の比重になり充分な重りの役目をするものである。尚工事の時は１個の本体よりも数多くのもの物を積み重ねるため下に滑りおちないために凹凸の作用も働き安定した工事の工程が進める事が出来るのである。
【図面の簡単な説明】
【０００９】
【図１】
【図２】
【図３】
【図４】
【符号の説明】
【００１０】  １    本体を構成する１枚のビニール素材の平面図
２    両サイドにセッテングした固定体の格納された物質
３    本体積み重ねた時下に滑りおちないために細工した凹凸
４    水分を吸収すると比重が重くなる物質の双方に水分供給源の穴体
５    袋状の構成側面図
６    本体の完成図
７    水を注入する給水口
８    給水制限ライン
９    凹の断面図
１０  凸の断面図
【図１】
0003151219.tif 000003
【図２】
0003151219.tif 000004
【図３】
0003151219.tif 000005
【図４】
0003151219.tif 000006
【手続補正書】
【提出日】平成21年3月13日(2009.3.13)
【手続補正１】
【補正対象書類名】実用新案登録請求の範囲
【補正対象項目名】全文
【補正方法】変更
【補正の内容】
【実用新案登録請求の範囲】
【請求項１】
袋の中に水分を吸収すると比重が３倍以上になる物質が格納されたことを特徴とする流水止シャットアウト。
【請求項２】
積み重ねた時に滑りおちないように凹凸を設けたことを特徴とする請求項１記載の流水止シャットアウト。
【手続補正２】
【補正対象書類名】明細書
【補正対象項目名】０００９
【補正方法】変更
【補正の内容】
【０００９】
【図１】図３の考案を完成させる為の第一段階の構成、符号の２から１０迄の各種別々の機能を最も効率よく発揮出来るようにしたビニール素材の平盤に集約した平面図。
【図２】図１のものを袋状にし考案を完成させる為の第２段階における正面図。
【図３】符号の１から１０迄の機能の全てを集約させた完成の側面図
【図４】本考案を幾重にも積み重ねた時施工の段階や工事条件の悪化に関わらず下に滑りおちないように作用された凹凸の構成図。
(57)【要約】      （修正有）【課題】タバコ箱にライター又は携帯灰皿を添装できるホルダーを提供する。【解決手段】先端が丸みをおび、かつ外側に湾曲しているホルダー本体裏面の接着部位に接着テープを付けてライター又は携帯灰皿に貼り付け、ホルダーをタバコ箱と外装のセロファンの間に挿入する。【選択図】図８
0003151213.tif 000002
【実用新案登録請求の範囲】
【請求項１】
ライターと携帯灰皿がタバコ箱に直接添装できるフラップ状のホルダー。
【請求項２】
物品にフラップ状の添装具を取り付け、添装しようとするポケット等に、そのフラップ状の添装具を挿入してなる添装方法。
【請求項３】
物品にフラップ状の添装構を予め形成し、添装しようとするポケット等にそのフラップ状の添装構造部分を挿入してなる添装方法。
【請求項４】
スリット状に形成した添装部分に、フラップ部分を挿入してなる、請求項２又は請求項３の物品の添装方法。
【請求項５】
帯状に形成した添装部分に、フラップ部分を挿入してなる、請求項２又は請求項３の物品の添装方法。
【請求項６】
ワイヤー状に形成した添装部分に、フラップ部分を挿入してなる、請求項２又は請求項３の物品の添装方法。
【考案の詳細な説明】
【技術分野】
【０００１】本考案は、物品を整理し必要な時に探すことなく、確実に所定の処に納めておくための添装方法である。具体的な例で説明すると、喫煙時にライターを探すことがよくあるが、このような場合にタバコ箱の外装のセロファンにライターを添装しておくことが出来るように、予めライターに添装ホルダーを付け、タバコ箱と外装のセロファンの間にホルダーを挿入して、ライターをタバコ箱に添装し、喫煙時に、タバコ箱とライターを同時に提供できるものである。
【背景技術】
【０００２】従来は、タバコ箱に簡単に添装できる、ライターホルダー、携帯灰皿ホルダーは無かった。
【考案が解決しようとする課題】
【０００３】喫煙者は、タバコとライターを別々に携帯しているため、喫煙時にライターを探すことが多かった、又喫煙者の中にはタバコの灰、喫煙後の吸殻をポイ捨てする者もいる。本考案は、この課題を解消するためになされたものである。
【課題を解決するための手段】
【０００４】本考案は、ライター、携帯灰皿ホルダーを使用することによって、タバコ箱に両者を添装できることで、上記の課題を解決するものである。
【考案の効果】
【０００５】本考案は、喫煙時にライターを探す必要がなくなり、喫煙後の吸殻のポイ捨ても防げる。
【考案を実施するための最良の形態】
【０００６】本考案は、ライター、携帯灰皿に添装ホルダーを貼り付けて、タバコ箱とタバコ箱の外装のセロファンの間に添装ホルダーを挿入するだけで、簡単にライターと携帯灰皿を添装することができる。
【実施例１】
【０００７】本考案は、図３、図５で示すように、ライター、携帯灰皿に添装ホルダーを貼り付けるだけで、簡単に使用できる。
【実施例２】
【０００８】本考案は、図８で示すように、ボックスタイプだけでなく、ソフトタイプでも使用できる。
【産業上の利用可能性】
【０００９】本考案は、タバコ箱に簡単にライター、携帯灰皿を添装でき、喫煙時にラターを探す必要がなくなり、喫煙後の吸殻のポイ捨ても防げる。
【図面の簡単な説明】
【００１０】
【図１】本考案の添装ホルダーの正面図である。
【図２】本考案の添装ホルダーの側面図である。
【図３】ライター本体に本考案の添装ホルダーを貼り付けた図である。
【図４】図３の側面図である。
【図５】携帯灰皿本体に本考案の添装ホルダーを貼り付けた図である。
【図６】図５の側面図である。
【図７】ライターに、本考案の添装ホルダーを、タバコ箱のソフトタイプ用に貼り付けた図である。
【図８】ソフトタイプのタバコ箱に、本考案の添装ホルダーを貼り付けたライターを添装した図である。
【図９】図８の側面図である。
【図１０】ライターに、本考案の添装ホルダーを、タバコ箱のボックスタイプ用に貼り付けた図である。
【図１１】ボックスタイプのタバコ箱に、本考案の添装ホルダーを貼り付けたライターを添装した図である。
【図１２】図１１の側面図である。
【図１３】ソフトタイプのタバコ箱に、本考案の添装ホルダーを貼り付けた携帯灰皿を添装した図である。
【図１４】ボックスタイプのタバコ箱に、本考案の添装ホルダーを貼り付けたライターを添装した図である。
【符号の説明】
【００１１】（１）  添装ホルダー本体
（２）  接着テープ
（３）  ライター本体
（４）  タバコ箱本体
（５）  セロファン
（６）  携帯灰皿
【図１】
0003151213.tif 000003
【図２】
0003151213.tif 000004
【図３】
0003151213.tif 000005
【図４】
0003151213.tif 000006
【図５】
0003151213.tif 000007
【図７】
0003151213.tif 000008
【図８】
0003151213.tif 000009
【図９】
0003151213.tif 000010
【図１０】
0003151213.tif 000011
【図１１】
0003151213.tif 000012
【図１２】
0003151213.tif 000013
【図１３】
0003151213.tif 000014
【図１４】
0003151213.tif 000015
【手続補正書】
【提出日】平成21年3月9日(2009.3.9)
【手続補正１】
【補正対象書類名】実用新案登録請求の範囲
【補正対象項目名】全文
【補正方法】変更
【補正の内容】
【実用新案登録請求の範囲】
【請求項１】
先端が丸みをおびて、かつライターに貼り付けた時、先端が外側に湾曲しているホルダー本体裏面の接着部位に接着テープを付けてライターに貼り付け、ホルダーをタバコ箱と外装のセロファンの間に挿入することで、ライターがタバコ箱に直接添装できることを特徴とするホルダー。
【請求項２】
先端が丸みをおびて、かつ携帯灰皿に貼り付けた時、先端が外側に湾曲しているホルダー本体裏面の接着部位に接着テープを付けて携帯灰皿に貼り付け、ホルダーをタバコ箱と外装のセロファンの間に挿入することで、携帯灰皿がタバコ箱に直接添装できることを特徴とするホルダー。
【手続補正２】
【補正対象書類名】図面
【補正対象項目名】全図
【補正方法】変更
【補正の内容】
【図１】
0003151213.tif 000016
【図２】
0003151213.tif 000017
【図３】
0003151213.tif 000018
【図４】
0003151213.tif 000019
【図５】
0003151213.tif 000020
【図６】
0003151213.tif 000021
【図７】
0003151213.tif 000022
【図８】
0003151213.tif 000023
【図９】
0003151213.tif 000024
【図１０】
0003151213.tif 000025
【図１１】
0003151213.tif 000026
【図１２】
0003151213.tif 000027
【図１３】
0003151213.tif 000028
【図１４】
0003151213.tif 000029